(57)【要約】【課題】  軽量化を達成しながら、必要な強度を有し、かつ表面がきれいで、塗料の付着が良好であり、かつ雨水の吸水を抑制して耐久性を向上することができる壁面用装飾パネルの提供。【解決手段】  壁面に取り付けられる装飾パネル１Ａであって、パネル母体２と、このパネル母体の全面を覆うように形成された表面側パネル表層３ａ及び裏面側パネル表層３ｂを備え、パネル母体が多数の発泡スチロール粒を接着剤により結合させた発泡スチロール粒結合体で形成され、パネル表層が前記パネル母体よりも硬質のセメント含有硬質体で形成されている。【選択図】  図１
2007204952.tif 000002
【特許請求の範囲】
【請求項１】
壁面に取り付けられる装飾パネルであって、
パネル母体と、このパネル母体の全面を覆うように形成されたパネル表層とを備え、
前記パネル母体が多数の発泡スチロール粒を接着剤により結合させた発泡スチロール粒結合体で形成され、
前記パネル表層が前記パネル母体よりも硬質のセメント含有硬質体で形成されていることを特徴とする壁面用装飾パネル。
【請求項２】
壁面に取り付けられる装飾パネルであって、
裏側面が露出面に形成されたパネル母体と、このパネル母体の表側面を覆うように形成されたパネル表層とを備え、
前記パネル母体が多数の発泡スチロール粒を接着剤により結合させた発泡スチロール粒結合体で形成され、
前記パネル表層が前記パネル母体よりも硬質のセメント含有硬質体で形成されていることを特徴とする壁面用装飾パネル。
【請求項３】
壁面に取り付けられる装飾パネルであって、パネル母体と、このパネル母体の全面を覆うように形成されたパネル表層とを備えている壁面用装飾パネルの製造方法であって、
型枠に形成された成型凹面に表層原料を塗布させて表面側パネル表層を形成させる表面側表層塗布工程と、
成型凹面に表層原料を塗布させて形成した表面側パネル表層の上から母体原料を打設させてパネル母体を形成させる母体打設工程と、
前記パネル母体の上から表層原料を塗布又は打設させて裏面側パネル表層を形成させる裏面側表層塗布工程を備え、
前記パネル母体を多数の発泡スチロール粒を接着剤により結合させた発泡スチロール粒結合体で形成させ、
前記表面側パネル表層及び裏面側パネル表層を前記パネル母体よりも硬質のセメント含有硬質体で形成させることを特徴とする壁面用装飾パネルの製造方法。
【請求項４】
壁面に取り付けられる装飾パネルであって、裏側面が露出面に形成されたパネル母体と、このパネル母体の表側面を覆うように形成されたパネル表層とを備えている壁面用装飾パネルの製造方法であって、
型枠に形成された成型凹面に表層原料を塗布させて表面側パネル表層を形成させる表面側表層塗布工程と、
成型凹面に表層原料を塗布させて形成した表面側パネル表層の上から母体原料を打設させてパネル母体を形成させる母体打設工程を備え、
前記パネル母体を多数の発泡スチロール粒を接着剤により結合させた発泡スチロール粒結合体で形成させ、
前記表面側パネル表層を前記パネル母体よりも硬質のセメント含有硬質体で形成させることを特徴とする壁面用装飾パネルの製造方法。
【発明の詳細な説明】
【技術分野】
【０００１】
本発明は、擁壁用ブロックや現場打ちコンクリート擁壁等の土木構築物の壁面、ビルディング等の建築物の壁面等に取り付けられる壁面用装飾パネル及びその製造方法に関する。
【背景技術】
【０００２】
従来、土木構築物や建築物等の壁面を装飾するための技術として、その表側面を凹凸模様などの装飾面に形成した装飾パネルを用い、この装飾パネルを壁面に取り付けるようにした技術が提案されている（特許文献１参照）。
このような装飾パネルを用いると、この装飾パネルを壁面に取り付けていくだけの簡単な作業で、平坦な壁面を凹凸模様等の装飾面に表現できるという利点がある。
【０００３】
しかしながら、従来の装飾パネルは、その全体がコンクリートによって形成されているため重量が重く、製造後の運搬や壁面へ取付け施工に際し、多大の労力が必要になるという問題があった。
【０００４】
そこで、装飾パネルの全体を、多数の発泡スチロール粒を接着剤（例えば、セメント）により結合させることで形成すれば、その重量を軽量にできるが、このような発泡スチロール粒結合体を用いると、全体としての強度が不十分になる。
また、表面に発泡スチロール粒結合体が露出するために、表面が粗くアバタ状に巣が生じて見栄えが悪くなり、また、表面を塗装する場合に塗料の付着が悪くなるという問題が生じる。
また、発泡スチロール粒結合体が露出していると、この発泡スチロール粒結合体が雨水の吸水と乾燥を繰り返すために劣化が生じ易く、耐久性が低下するという問題が生じる。
【特許文献１】特許公開２００４−１８３４１３号公報
【発明の開示】
【発明が解決しようとする課題】
【０００５】
本発明は、軽量化を達成しながら、必要な強度を有し、かつ表面がきれいで、塗料の付着が良好であり、かつ雨水の吸水を抑制して耐久性を向上することができる壁面用装飾パネル及びその製造方法を提供することを課題としている。
【課題を解決するための手段】
【０００６】
上記の課題を解決するために、本発明（請求項１）の壁面用装飾パネルは、
壁面に取り付けられる装飾パネルであって、
パネル母体と、このパネル母体の全面（表側面及び裏側面）を覆うように形成されたパネル表層とを備え、
前記パネル母体が多数の発泡スチロール粒を接着剤により結合させた発泡スチロール粒結合体で形成され、
前記パネル表層が前記パネル母体よりも硬質のセメント含有硬質体で形成されている構成とした。
【０００７】
又、本発明（請求項２）の壁面用装飾パネルは、
壁面に取り付けられる装飾パネルであって、
裏側面が露出面に形成されたパネル母体と、このパネル母体の表側面を覆うように形成されたパネル表層とを備え、
前記パネル母体が多数の発泡スチロール粒を接着剤により結合させた発泡スチロール粒結合体で形成され、
前記パネル表層が前記パネル母体よりも硬質のセメント含有硬質体で形成されている構成とした。
【０００８】
又、本発明（請求項３）の壁面用装飾パネルの製造方法は、
壁面に取り付けられる装飾パネルであって、パネル母体と、このパネル母体の全面（表側面及び裏側面）を覆うように形成されたパネル表層とを備えている壁面用装飾パネルの製造方法であって、
型枠に形成された成型凹面に表層原料を塗布させて表面側パネル表層を形成させる表面側表層塗布工程と、
成型凹面に表層原料を塗布させて形成した表面側パネル表層の上から母体原料を打設させてパネル母体を形成させる母体打設工程と、
前記パネル母体の上から表層原料を塗布又は打設させて裏面側パネル表層を形成させる裏面側表層塗布工程を備え、
前記パネル母体を多数の発泡スチロール粒を接着剤により結合させた発泡スチロール粒結合体で形成させ、
前記表面側パネル表層及び裏面側パネル表層を前記パネル母体よりも硬質のセメント含有硬質体で形成させる構成とした。
【０００９】
又、本発明（請求項４）の壁面用装飾パネルの製造方法は、
壁面に取り付けられる装飾パネルであって、裏側面が露出面に形成されたパネル母体と、このパネル母体の表側面を覆うように形成されたパネル表層とを備えている壁面用装飾パネルの製造方法であって、
型枠に形成された成型凹面に表層原料を塗布させて表面側パネル表層を形成させる表面側表層塗布工程と、
成型凹面に表層原料を塗布させて形成した表面側パネル表層の上から母体原料を打設させてパネル母体を形成させる母体打設工程を備え、
前記パネル母体を多数の発泡スチロール粒を接着剤により結合させた発泡スチロール粒結合体で形成させ、
前記表面側パネル表層を前記パネル母体よりも硬質のセメント含有硬質体で形成させる構成とした。
【００１０】
なお、前記パネル母体を形成する発泡スチロール粒結合体の接着剤としては、セメントや合成樹脂系接着剤等を用いることができる。
【００１１】
また、パネル表層（表面側パネル表層及び裏面側パネル表層）を形成するセメント含有硬質体としては、セメント単独を水で固化させたセメント固化体、セメントに細骨材を混合して水で固化させたモルタル体、前記セメント固化体やモルタル体に合成樹脂を混合させたポリマー含有セメント等であって、前記パネル母体を形成する発泡スチロール粒結合体よりも硬質のものを用いることができる。
【発明の効果】
【００１２】
本発明の壁面用装飾パネル（請求項１，２）では、パネル母体が発泡スチロール粒結合体で形成されているため、全てをコンクリートで形成したものに比べ、そのパネル重量を軽量化することができるし、発泡スチロール粒に含まれる空気によって断熱性を向上させることができる。
又、パネル表層が、前記パネル母体よりも強度が高いセメント含有硬質体で形成されており、このセメント含有硬質体によるパネル表層がパネル母体の覆う殻になるため、パネル全体としての強度を補強して割れや反り変形等を防止することができる。
又、パネル表層がセメント含有硬質体であるため、その表面がパネル母体に比べてきれいになるし、塗料の付着も良好になる。
また、パネル母体をパネル表層で覆うため、パネル母体への水の浸入を抑制して耐久性を向上することができる
【００１３】
本発明の壁面用装飾パネルの製造方法では、表層塗布工程において、表層原料を成型凹面に塗布させることでパネル表層を成形させるため、パネル表層の厚みを薄く形成させることができると共に、ムラのない厚みに均すことができ、また、成型凹面に凹凸を形成した場合でも、その凹凸に馴染むようにパネル表層を成形することができる。
又、母体打設工程において、母体原料を打設させることでパネル母体を成形させるため、パネル母体の成形作業を容易にできるし、成形時間を短縮することができる。
【００１４】
また、パネル母体の全面（表側面及び裏側面）をパネル表層で覆うように形成すると（請求項１，３）、表側面だけをパネル表層で覆うことで発生し易い歪み変形を防止できるし、パネル表層でパネル母体の全面（表側面及び裏側面）を覆うため、特に、パネル裏面からの水の浸入を抑制することができる。
【発明を実施するための最良の形態】
【００１５】
図１は本発明の壁面用装飾パネルの第１実施例を示す断面図である。
本実施例の壁面用装飾パネル１Ａは、正面１０から外周面１１にかけての部分が石模様を呈すような凹凸形状に形成され、裏面１２が壁面への取付け面として平坦面に形成された擬石状パネルに形成され、パネル母体２と、このパネル母体２の全面（表側面２ａ及び裏側面２ｂ）を覆うように形成された表面側パネル表層３ａ及び裏面側パネル表層３ｂを備えている。
【００１６】
前記パネル母体２は、多数の発泡スチロール粒を接着剤により結合させた発泡スチロール粒結合体で形成され、この実施例では、多数の発泡スチロール粒に接着剤としてのセメントを混合し、これに水を加えて固化させることで形成されている。
このように、発泡スチロール粒を混合させているため、その重量を軽量にすることができると共に、発泡スチロール粒に含まれる空気によって断熱性を向上することができる。
【００１７】
発泡スチロール粒結合体の原料である母体原料の配合例を以下に示す。
発泡スチロール粒  ８００ｇ
セメント          ２．７Ｋｇ
水                １．８Ｋｇ
なお、発泡スチロール粒としては、廃棄された発泡スチロールを原料とし、これを粒状に成形したリサイクル品を使用している（例えば、西日本発泡スチロールリサイクル（株）製）。
【００１８】
前記パネル表層３ａ，３ｂは、前記パネル母体２よりも硬質のセメント含有硬質体で形成され、この実施例では、セメントに砂（細骨材）を混合し、これに水を加えて固化させたモルタル体で形成されている。
このパネル表層３ａ，３ｂは、パネル母体２の全面を覆う殻となり、モルタル体で形成されているため、パネル母体２と比べて強度が高い。
したがって、パネル母体２の強度を補強し、パネル全体としての強度を補強できるし、表面側パネル表層３ａ及び裏面側パネル表層３ｂによってパネル母体２の全面を覆うため、歪み変形を防止できるし、パネル母体２への水の浸入を抑制することができる。
【００１９】
前記セメント含有硬質体の原料である表層原料としては、１：１モルタルを用いている。
【００２０】
図２は前記壁面用装飾パネル１Ａの施工例を示す斜視図で、この壁面用装飾パネル１ＡをＬ形擁壁用ブロック９のコンクリート壁面９２に取り付けるようにした施工例である。
【００２１】
前記Ｌ形擁壁用ブロック９は、コンクリート擁壁を構築するために用いるコンクリートブロックであって、底板部９０と前面板部９１とでＬ形に形成され、前面板部９１の正面が平坦なコンクリート壁面９２に形成されている。
【００２２】
そして、このコンクリート壁面９２上に複数個（実施例では４個）の壁面用装飾パネル１Ａが、その裏面１２をコンクリート壁面９２に当接させた状態で取付手段としての釘又はその他の取付金具や接着剤等により取り付けられている。
この場合、本実施例の壁面用装飾パネル１Ａが上記したように擬石状パネルに形成されているため、この壁面用装飾パネル１Ａを取り付けたＬ形擁壁用ブロック９のコンクリート壁面９２を石垣状模様に表現することができる。
【００２３】
図３は前記壁面用装飾パネル１Ａの製造方法の実施例を示す工程図である。
図において、４は型枠で、その上面に前記壁面用装飾パネル１Ａの表面側パネル表層３ａの表面形状に対応した形状の成型凹面４０が形成されされている（図３−イ）。
なお、この型枠４は、弾性素材で形成されている（例えば、商標：パンデックス：大日本インキ化学工業（株）製）。
【００２４】
製造工程を説明すると、先ず型枠４に形成された成型凹面４０に表層原料をスプレー吹き付け（刷毛塗りやコテ塗りでもよい）により塗布させて表面側パネル表層３ａを形成させる（図３−ロ：表面側表層塗布工程）。
なお、前処理として成型凹面４０の内面に脱型油等の離型材を塗布しておく。
【００２５】
上記のようにして表面側表層塗布工程を行なった後は、その表面側パネル表層３ａの上から母体原料を流し込みにより打設させてパネル母体２を形成させるもので、このときパネル母体２の上面が表面側パネル表層３ａの上端縁から裏面側パネル表層３ｂの厚み分だけ低くなるように打設させ、その上面を平坦に均す（図３−ハ：母体打設工程）。
【００２６】
この場合、表面側パネル表層３ａの塗布厚が薄い場合には、母体原料の流し込みによって表面側パネル表層３ａが破壊されるのを防止するために、表面側パネル表層３ａを乾燥固化させた後に母体打設工程を行なう。
なお、表面側パネル表層３ａの塗布厚が厚い場合には、この表面側パネル表層３ａが半乾きの状態でも母体打設工程を行なうことができる。
【００２７】
このように、母体打設工程において、母体原料を流し込みにより打設させてパネル母体２を形成させるようにしたので、その成形作業を迅速かつ容易に行なうことができる。
【００２８】
次に、前記パネル母体２の上から表層原料を塗布（打設でもよい）させて裏面側パネル表層３ｂを形成させるもので、この場合、裏面側パネル表層３ｂの上面が表面側パネル表層３ａの上端縁に連続するように形成させる。
これによりパネル母体２の全面を表面側パネル表層３ａと裏面側パネル表層３ｂによって完全に覆うことができる（図３−ニ：裏面側表層塗布工程）。
【００２９】
そして、次に、各層が乾燥固化したのち脱型させることで、壁面用装飾パネル１Ａを成形することができる（図３−ホ：脱型工程）。
【００３０】
尚、パネル表層３ａ，３ｂの最小厚みは概ね１ｍｍ、最大厚みは概ね３０ｍｍ程度としているが、壁面用装飾パネル１Ａの全体面積を略１ｍ２、パネル最大厚みを略１００ｍｍ〜２０ｍｍとした場合、パネル表層３ａ，３ｂの塗布厚は略１０ｍｍ〜２ｍｍ程度としている。
【００３１】
型枠４に形成された成型凹面４０を使用した成形作業において、流し込みによる打設では、原料が成型凹面４０の底から徐々に溜まって行くことになるため、成型凹面４０の全面に亘って一定厚の層を形成することは不可能である。
これに対し、スプレーガン等を用いたスプレー吹き付けによる塗布（刷毛塗りやコテ塗りでもよい）を使用すれば、成型凹面４０の全面に亘って一定厚の層を形成することが可能になるもので、本発明は、このような塗布の特徴を利用して表面側パネル表層３ａを成形したものである。
特に、表面側パネル表層３ａの周縁部は、立ち上げ状態に形成されるため、塗布によらなければ形成することができない。
【００３２】
図４は本発明の壁面用装飾パネルの第２実施例を示す断面図である。
本実施例の壁面用装飾パネル１Ｂは、正面１０がタイル模様を呈すような凹凸形状に形成され、裏面１２が壁面への取付け面として平坦面に形成されたタイル状パネルに形成され、裏側面が露出面２０に形成されたパネル母体２と、このパネル母体２の表側面を覆うように形成された表面側パネル表層３ａを備えている。
【００３３】
この壁面用装飾パネル１Ｂの製造方法は、前記第１実施例の壁面用装飾パネル１Ａの製造方法における裏面側表層塗布工程（図３−ニ）を省略し、かつ母体打設工程（図３−ハ）においてパネル母体２の上面が表面側パネル表層３ａの上端縁と同一高さになるように形成する点以外は、壁面用装飾パネル１Ａの製造方法と同様である。
【００３４】
なお、本発明の壁面用装飾パネルにおいて、表面（表面側パネル表層３ａの表面）を塗装したり、着色したり、撥水処理を施したり、その他の装飾加工を施したりするのは任意である。
【００３５】
また、本発明の壁面用装飾パネルの取付け対象は、実施例で示したＬ形擁壁用ブロック以外に、大型積みブロック、積み上げブロック、法面用ブロック等の擁壁用ブロックのほか、現場打ちされたコンクリート壁面にも適用することができるし、その他の土木構築物や建築物の壁面等に適用することができる。
【００３６】
又、壁面用装飾パネルとしては、実施例で示した擬石状パネル、タイル状パネル以外に、レンガ状パネル等、装飾用パネルとして使用できるもの全般を含むものとする。
【図面の簡単な説明】
【００３７】
【図１】本発明の壁面用装飾パネルの第１実施例を示す断面図である。
【図２】壁面用装飾パネルの施工例を示す斜視図である。
【図３】壁面用装飾パネルの製造方法の実施例を示す工程図である。
【図４】本発明の壁面用装飾パネルの第２実施例を示す断面図である。
【符号の説明】
【００３８】
１Ａ  壁面用装飾パネル
１Ｂ  壁面用装飾パネル
１０  正面
１１  外周面
１２  裏面
２  パネル母体
２０  裏面
３ａ  表面側パネル表層
３ｂ  裏面側パネル表層
４  型枠
４０  成型凹面
９  Ｌ形擁壁用ブロック
９０  底板部
９１  前面板部
９２  コンクリート壁面
【図１】
2007204952.tif 000003
【図２】
2007204952.tif 000004
【図３】
2007204952.tif 000005
【図４】
2007204952.tif 000006